(57)【要約】【課題】耐油性隔膜の空気と接する面にガス遮断膜を設けることによって、耐油性、耐寒性を低下させることなくガス遮断性能を向上させること。【解決手段】隔膜式コンサベータにおいて、隔膜４を２重構造４−１、４−２にしてコンサベータ２にそれぞれ気密に取り付けるように構成するとともに、絶縁油に接する隔膜４−１を耐油性を有する材質で形成し、外気に接する隔膜４−２をガス遮断性能を有する材質で形成したことを特徴とする。【選択図】図１
2008227268.tif 000002
【特許請求の範囲】
【請求項１】
変圧器タンク内に密封した絶縁油と外気との接触を防ぐとともに、前記絶縁油の膨脹油量を吸収するために設置された隔膜式コンサベータにおいて、
隔膜を２重構造にしてコンサベータに気密に取り付けるように構成するとともに、絶縁油に接する隔膜を耐油性を有する材質で形成し、外気に接する隔膜をガス遮断性能を有する材質で形成したことを特徴とする隔膜式コンサベータ。
【請求項２】
前記耐油性を有する材質で形成された隔膜と、前記ガス遮断性能を有する材質で形成された隔膜との間に密閉空間を設け、当該密閉空間に存在する酸素ガスの濃度検出を可能にしたことを特徴とする請求項１記載の隔膜式コンサベータ。
【請求項３】
前記ガス遮断性能を有する材質で形成された隔膜は、前記耐油性を有する材質で形成された隔膜側に酸素ガス吸収物を設け、外気側にガス遮断膜を設けたことを特徴とする請求項１または２記載の隔膜式コンサベータ。
【請求項４】
前記ガス遮断性能を有する材質で形成された隔膜は、前記酸素ガス吸収物の両側面にガス遮断膜を設けたことを特徴とする請求項３記載の隔膜式コンサベータ。
【請求項５】
前記ガス遮断性能を有する材質で形成された隔膜の取り付け部を、前記耐油性を有する材質で形成された隔膜の取り付け部から独立して設け、前記耐油性を有する材質で形成された隔膜を取り外すことなく前記ガス遮断隔膜を取り外し可能とすることを特徴とする請求項１乃至４のいずれか１項に記載の隔膜式コンサベータ。
【請求項６】
前記ガス遮断性能を有する材質で形成された隔膜は、前記ガス遮断膜と前記酸素ガス吸収物とをラミネート構造として一体化したフィルム状膜としたことを特徴とする請求項１乃至５のいずれか１項に記載の隔膜式コンサベータ。
【請求項７】
変圧器タンク内に密封した絶縁油と外気との接触を防ぐとともに、前記絶縁油の膨脹油量を吸収するために設置された隔膜式コンサベータにおいて、
耐油性を有する材質で形成した耐油性隔膜の両側の面のうち、少なくとも外気に接触する側の面に対して貼り合わせあるいはコーティングによりガス遮断膜を形成することを特徴とする隔膜式コンサベータ。
【請求項８】
前記ガス遮断膜は、ナイロン、ポリエチレンテレフタレートあるいは２軸延伸ポリプロピレン等で構成された基体に対してポリ塩化ビニリデン、ダイヤモンドライクカーボンあるいはアルミ等の材質のうちのいずれか１つをコーティングして形成したことを特徴とする請求項１乃至７のいずれかに記載の隔膜式コンサベータ。
【請求項９】
前記ガス遮断膜は、耐油性を有する隔膜の表面に直接、ポリ塩化ビニリデン、ダイヤモンドライクカーボンあるいはアルミ等の材質のうちのいずれか１つをコーティングして形成したことを特徴とする請求項１乃至７のいずれかに記載の隔膜式コンサベータ。
【請求項１０】
請求項１乃至９のいずれかに記載の隔膜式コンサベータを有することを特徴とする油入変圧器。
【発明の詳細な説明】
【技術分野】
【０００１】
本発明は、隔膜を改良した隔膜式コンサベータ、および隔膜式コンサベータを有する油入変圧器に関する。
【背景技術】
【０００２】
変圧器は、鉄心および巻線からなる変圧器本体の絶縁耐力および冷却性能の向上を図るために、変圧器本体を密閉された変圧器タンク内で絶縁油に浸すように構成されている。この絶縁油の油温は、外気温度の変動および変圧器本体の損失（主に負荷損が占める）に基づく発熱のために絶えず変化する。変圧器タンク内の油温が上昇すると絶縁油の体積が増加するため、変圧器タンクが完全に密封されていると油体積の増加により変圧器タンク内の圧力が上昇し、変圧器タンクを破損させる危険性がある。
【０００３】
このため油入変圧器では、変圧器タンクに開口部を設けて外気の圧力（大気圧）とタンク内圧を平衡させている。しかしながら、空気中に含まれる酸素や水分が絶縁油に触れるとスラッジ等の劣化生成物が発生し、絶縁油の絶縁性能や冷却性能を低下させる。
【０００４】
大型の油入変圧器では、絶縁油が外界の空気や水分と接触するのを防ぎ、かつ、変動する変圧器タンク内の絶縁油の膨脹油量を吸収するために変圧器タンクの上部にコンサベータと呼ばれる容器を取り付けている。
【０００５】
コンサベータには、浮動タンク式、窒素ガス密封式、３室式など様々な方式があるが、特に電力用の大容量油入変圧器においては、コンサベータ内に絶縁油と空気とを遮断する耐油性材による隔膜を設置した隔膜式コンサベータが保守の容易さから広く用いられている（例えば、非特許文献１参照）。
【０００６】
隔膜式コンサベータには、非特許文献１に紹介されているように隔膜の形状により２種類に分類され、一つは隔膜を平面的に裁断して形成したものであり、もう一つは、立体的に裁断して袋状に形成したものである。
【０００７】
図４は袋状の隔膜式コンサベータを備えた油入変圧器の概略図を示す。
【０００８】
図示しない変圧器本体を密閉して収容する変圧器タンク１は、その上部に設置されたコンサベータ２との間を配管３によって連通され、コンサベータ２と共に内部は絶縁油で満たされた状態になっている。
【０００９】
コンサベータ２の内部にはニトリルゴム等の耐油性ゴムを袋状に形成した隔膜（以下、単に隔膜という）４を収容し、その袋の開口部周りの鍔部をフランジ５によって気密に固定している。
【００１０】
隔膜４は、袋の内部をブリーザ接続管６を介してブリーザ７に連通することによって、袋の内部に自由に外気を出入りできるようにしているが、袋の開口部周りの鍔部をフランジ５によって気密に固定されているため、隔膜４自体によって絶縁油と空気との接触は遮断されている。なお、ブリーザ７内には、外気中の湿気が空気袋４内に侵入することを防ぐため、通常シリカゲル等の乾燥剤が装填されている。
【００１１】
ここで、隔膜式コンサベータ２の機能について以下説明する。  
油入変圧器タンク１内の絶縁油の温度は、変圧器巻線の負荷損による発熱や外気温によって絶えず変化している。油温が上昇すると絶縁油の体積が膨張し、油温が低下すると逆に収縮する。油入変圧器タンク１内部は、配管３によってコンサベータ２内部と連通しているので、変圧器タンク１に充満した絶縁油の体積が増減すると、コンサベータ２内部に収容した隔膜４の袋内部にはブリーザ接続管６およびブリーザ７を介して外気が出入りして袋の体積が逆に増減する。
【００１２】
すなわち、コンサベータ２は絶縁油の体積変化を隔膜４による袋の体積変化に変換することによって、絶縁油の表面が空気に接触することなく変圧器タンク１内の圧力を一定に保って変圧器タンク自体を保護するとともに、絶縁油が変圧器タンク１から外部に溢れ出ることを防いでいる。
【００１３】
隔膜４は、一方の表面で絶縁油に接するとともに他方の表面で空気に接していることから、その材質としては耐油性に優れ、空気を透過し難い性能が求められるとともに、長期間絶えず行われる膨張・収縮に伴う屈曲や引っ張りに対する柔軟性や機械的強さが求められる。
【００１４】
現状では、これらの性能を満たすものとして、ナイロン布の両面に耐油性ゴムであるニトリルゴムを貼り合わせて積層構造としたものとか、特許文献１に記載のように、ナイロン布の両面に耐油性・耐寒性の熱可塑性ポリ炭酸型ポリウレタン層を貼り合わせて積層構造としたもの等が採用されている。
【特許文献１】特開２００１−２９７９２０号公報、
【非特許文献１】電気学会編、電気工学ハンドブック、p823〜p824、電気学会1978
【発明の開示】
【発明が解決しようとする課題】
【００１５】
しかしながら、前述のニトリルゴム製の隔膜は、空気中のガスの透過を完全に遮断できるわけではない。例え隔膜に穴等の欠陥部位がなくても、外気側の気体分子は隔膜のゴム材に溶解して内部に拡散し、拡散した気体分子が絶縁油側に到達して放出される。その結果、空気中のガスが絶縁油中に侵入する。
【００１６】
一般的に、コンサベータに使用される耐油性ニトリルゴム製の隔膜の空気透過率は、ASTM D1434に記載される方法で測定を行うと10-6cm3/cm2・min・atmオーダの値である。
【００１７】
電力用の油入変圧器には、20年以上の機器としての寿命が期待される。長期間の使用においては、耐油性隔膜の空気透過率が微少であっても、その運転期間中の侵入量を積算すると、その量は無視できる量ではなく、透過する空気中の酸素ガスは絶縁油の劣化、更に変圧器の寿命に大きく影響を及ぼす。そのため、コンサベータには、常に高い空気遮断性能が求められており、その中でも酸素ガスの遮断性能は特に重要である。
【００１８】
従来、コンサベータにおける空気の遮断は、隔膜４に使用される耐油性ゴムが担っていた。耐油性ゴムとして一般的に用いられるニトリルゴムは、ブタジエンとアクリロニトリルの共重合体であり、アクリロニトリルの含有比率を高めることによって、耐油性・ガス遮断性能が向上する。
【００１９】
しかしながら、アクリロニトリルの含有比率を高める場合、ゴム材の耐寒性は逆に低下する。耐寒性が低下すると、ゴム材が低温下で硬化し、その長所である柔軟性が失われてしまう。そのため、コンサベータの隔膜に適用されるニトリルゴムの高アクリロニトリル化には制限が生じ、コンサベータのガス遮断性能の向上が妨げられていた。
【００２０】
また、特許文献１に記載の熱可塑性ポリ炭酸型ポリウレタンの隔膜についても、ニトリルゴム製の隔膜と同様に、空気中のガスの透過を完全に遮断できるわけではなく、例え隔膜に穴等の欠陥部位がなくても、外気側の気体分子は隔膜のゴム材に溶解して内部に拡散し、拡散した気体分子が絶縁油側に到達して放出される。その結果、空気中のガスが絶縁油中に侵入するという課題がある。
【００２１】
本発明の目的は、耐油性隔膜の空気と接する面にガス遮断膜を設けることによって、耐油性、耐寒性を低下させることなくガス遮断性能を向上させることのできる隔膜式コンサベータ、および隔膜式コンサベータを有する油入変圧器を提供することにある。
【課題を解決するための手段】
【００２２】
上記の目的を達成するために、請求項１に係る発明は、変圧器タンク内に密封した絶縁油と外気との接触を防ぐとともに、前記絶縁油の膨脹油量を吸収するために設置された隔膜式コンサベータにおいて、隔膜を２重構造にしてコンサベータに気密に取り付けるように構成するとともに、絶縁油に接する隔膜を耐油性を有する材質で形成し、外気に接する隔膜をガス遮断性能を有する材質で形成したことを特徴とする。
【００２３】
また、請求項７に係る発明は、変圧器タンク内に密封した絶縁油と外気との接触を防ぐとともに、前記絶縁油の膨脹油量を吸収するために設置された隔膜式コンサベータにおいて、耐油性を有する材質で形成した耐油性隔膜の両側の面のうち、少なくとも外気に接触する側の面に対して貼り合わせあるいはコーティングによりガス遮断膜を形成することを特徴とする。
【００２４】
さらに、請求項９に係る発明は、請求項１乃至７のいずれかに記載の隔膜式コンサベータを有することを特徴とする油入変圧器である。
【発明の効果】
【００２５】
第１の発明に係る隔膜式コンサベータによれば、コンサベータに高いガス遮断性能を有するガス遮断膜を設けることによって、絶縁油への空気の侵入を防いで変圧器絶縁油の劣化を防ぐことができる。
【００２６】
また、第１の発明に係る隔膜式コンサベータによれば、耐油性隔膜とガス遮断膜の独立化によって、コンサベータ隔膜のガス遮断性能に対する信頼性の維持と経済的な交換・保守を行うことができる。
【００２７】
さらに、第２の発明に係る隔膜式コンサベータによれば、耐油性隔膜とガス遮断膜とを一体化したことにより、隔膜自体をコンパクトにすることができ、既存の隔膜式コンサベータに対して構造の変更を行わず、耐油性隔膜の交換のみでガス遮断性能の向上を図ることができる。
【発明を実施するための最良の形態】
【００２８】
以下、本発明の実施の形態について図面を参照して詳細に説明する。  
（第１の実施の形態）
図１を参照して本発明の第１の実施の形態に係る隔膜式コンサベータについて説明する。
【００２９】
本実施の形態１で採用する隔膜式コンサベータは、図１のように、２重にした袋状の隔膜４を備え、このうち、外側の袋状隔膜すなわち絶縁油に接する側の隔膜を耐油性を有する材質で袋状に形成して耐油性隔膜４−１とし、内側の袋状隔膜すなわち空気と接する側の隔膜をガス遮断性能を有する材質で袋状に形成してガス遮断隔膜４−２としたものである。
【００３０】
そして、これら袋状に形成された隔膜４−１および４−２の開口部周りの鍔部をコンサベータ２の上部に開けた通気穴８とほぼ同心状に設けられたフランジ５によってそれぞれ別々に固定するようにしたものである。なお、耐油性隔膜４−１およびガス遮断隔膜４−２の詳細については後述する。
【００３１】
ところで、フランジ５はコンサベータ２の通気穴８に対して同心状に固定された通気フランジ５−１と、前述のブリーザ接続配管６の端部に固定されたブリーザ接続配管フランジ５−２との組合せで構成されている。
【００３２】
通気フランジ５−１は通気穴８と同心状の陥没部５−１ａを設けており、この陥没部５−１ａ内で、耐油性隔膜４−１の開口部周りの鍔部４−１ａをリング状金具９で押えた状態で複数の固定ネジ１０によって気密に固定する。なお、陥没部５−１ａの深さは、後で述べるガス遮断隔膜４−２の開口部周りの鍔部を傷つけないために、耐油性隔膜４−１の開口部周りの鍔部４−１ａが固定された状態において、固定ネジ１０の頭が陥没部５−１ａから突出しないような寸法に選定されている。
【００３３】
そして、通気フランジ５−１は、陥没部５−１ａを除いた部分すなわち、環状の鍔部によって前記ブリーザ接続配管フランジ５−２と面接触するようになっている。
【００３４】
前記通気フランジ５−１とブリーザ接続配管フランジ５−２とは、両者の接触面間にガス遮断隔膜４−２の開口部周りの鍔部４−２ａを広げ、かつその鍔部４−２ａの外周に環状のガスケット１１を配置したうえで、通しボルト１２によって結合されている。これによって、ガス遮断隔膜４−２は、ブリーザ接続配管フランジ５−２に気密に固定される。
【００３５】
このように、耐油性隔膜４−１と、ガス遮断隔膜４−２とは、通気フランジ５−１とブリーザ接続配管フランジ５−２とにそれぞれ独立して気密に固定されるようになっている。この結果、例えば、耐油性隔膜４−１によってコンサベータ２内の絶縁油と空気とを遮断している状態で、ガス遮断隔膜４−２の取り外して交換作業ができるようになっている。
【００３６】
ところで、前記耐油性隔膜４−１は、従来から採用されているものと同じであり、ナイロン布の両面に耐油性ゴムであるニトリルゴム（ブタジエンとアクリロニトリルの共重合体）を貼り合わせて３層の積層構造（ラミネート構造）としたものである。
【００３７】
一方、前記ガス遮断隔膜４−２は、絶縁油と接することはないので耐油性は必ずしも必要としない。そのため、隔膜４の耐油性隔膜４−１に使用するニトリルゴムよりもガス遮断性能能に優れている材料が適用できる。
【００３８】
図２はガス遮断隔膜４−２の断面構成を示す。
ガス遮断隔膜４−２は、酸素ガス吸収物１５と、その酸素ガス吸収物１５の両側表面にそれぞれ貼り合わされたガス遮断膜１６および１７との３層ラミネート構造になっている。
【００３９】
ガス遮断膜１６および１７は、例えば、ナイロンやポリエチレンテレフタレートあるいは２軸延伸ポリプロピレン等で構成された図示しないフィルム状の基体に、ポリ塩化ビニリデンやダイヤモンドライクカーボンあるいはアルミ等のガスバリヤー性に優れた材質をコーティングして形成したものが適用可能である。  
なお、ガス遮断膜１６および１７は、前述したナイロンやポリエチレンテレフタレートあるいは２軸延伸ポリプロピレン等で構成されたフィルム状の基体を使用せずに、直接耐油性隔膜であるニトリルゴムの表面にポリ塩化ビニリデン、ダイヤモンドライクカーボンあるいはアルミ等の材質のうちのいずれか１つをコーティングして形成してもよい。
【００４０】
一方、ガス遮断膜１６および１７の間に位置する酸素ガス吸収物１５は、ガス遮断膜１６で遮断しきれずに、極微量透過する空気から絶縁油の劣化に影響させる酸素ガスを除去するものである。酸素ガス吸収物１５による酸素ガス吸収量は有限であるが、酸素ガス吸収物１５はガス遮断膜１６、１７の間に密閉されているため、ガス遮断膜を透過する極微量の酸素のみを吸収すればよく、その材質については、鉄系や有機系を問わず現在商用化されている脱酸素剤が適用可能である。このため、酸素ガス吸収物１５の酸素ガス吸収性能は長期間期待でき、ガス遮断隔膜４−２の酸素ガス遮断性能の長期信頼性を向上させるとともに、それを経済的に実現できる。
【００４１】
本実施の形態１による隔膜式コンサベータは、以上述べたように耐油性隔膜４−１とガス遮断隔膜４−２との２重構造とし、しかもそれぞれの隔膜４−１および４−２は独立して気密に固定されるように構成してあるので、耐油性隔膜４−１でコンサベータ内の絶縁油を空気から遮断した状態でガス遮断隔膜４−２の取り外しや交換が可能となる。
【００４２】
したがって、ガス遮断隔膜４−２が経年劣化等でそのガス遮断性能が低下した場合でも、容易に交換保守が可能となる。なお、交換の際、絶縁油は空気に触れることがないので、交換保守作業によって絶縁油が劣化することも防ぐことができる。
【００４３】
また、ガス遮断隔膜４−２のガス遮断性能が低下したか否かの判断は、定期的に実施される絶縁油中のガス分析によって、油中の酸素や窒素の濃度を知ることができるので、そのガス成分の増加によって判断することが可能である。
【００４４】
また、耐油性隔膜４−１とガス遮断隔膜４−２との間は密閉空間となっているので、もし、酸素ガスがガス遮断隔膜４−２から洩れた場合、酸素ガス吸収物１５によって微少量吸収され、外気空気中の酸素濃度よりも通常低下している。
【００４５】
絶縁油中のガス分析の際にのみ連通するように、ブリーザ接続配管フランジ５−２に開けた破線で示す測定用小穴５−２ｈから耐油性隔膜４−１と、ガス遮断隔膜４−２との空間内部に図示しないガス分析器の測定端子やセンサーを挿入することによって、その空間に存在する酸素ガスの濃度検出を行い、酸度ガスの濃度評価を行うことができる。この酸素濃度が外気空気のそれと同等になれば、ガス遮断隔膜４−２のガス遮断性能が低下したものと判断でき、ガス遮断性能の信頼性の維持と経済的な交換・保守を行うことができる。
【００４６】
なお、ガス分析器の代わりに、測定用小穴５−２ｈに酸素ガスの濃度を大まかな値を変色で示すインジケータを接続するようにしても耐油性隔膜４−１とガス遮断隔膜４−２の間の酸素ガス濃度を評価することができる。
【００４７】
なお、上記の説明では、酸素ガス吸収物１５を介在する状態で酸度ガス濃度の検出を行うようにしたが、酸度ガス濃度検出をする場合、特に、酸素ガス吸収物１５の有無には関係ない。
【００４８】
また、本実施の形態１によれば、耐油性隔膜４−１には外気の遮断を担う必要性がないことから、耐油性隔膜４−１として従来使用されてきたニトリルゴムよりも耐寒性能に優れた低ニトリルの材料を適用することが可能となる効果も発生する。
【００４９】
（第２の実施の形態）
図３を参照して本発明の第２の実施の形態に係る隔膜式コンサベータについて説明する。  
図３は、耐油性隔膜に対してガス遮断膜をコーティングすることによって構成した袋状の隔膜４Ａの断面構成を示す。
【００５０】
本実施の形態２による隔膜４Ａは、第１の実施の形態の隔膜４のように耐油性隔膜４−１と、ガス遮断隔膜４−２とを独立して設ける替わりに、耐油性隔膜４−１の両表面にガス遮断膜２０をコーティングしてラミネート構造に形成したものである。
【００５１】
図３の隔膜４Ａは、ナイロン布１８の両面にそれぞれ耐油性ゴムであるニトリルゴム１９a、１９bを貼り合わせて３層積層構造の耐油性隔膜４−１を構成し、さらに、ニトリルゴム１９a、１９bの外側面にそれぞれガス遮断膜２０a、２０bを設けて５層積層構造としたものである。  
なお、ガス遮断膜２０a、２０bは、ニトリルゴム１９a、１９bの表面に直接ポリ塩化ビニリデンやダイヤモンドライクカーボンあるいはアルミ等のガスバリヤー性に優れた材質をコーティングして形成したものが適用可能である。
【００５２】
以上のように構成した実施の形態２によれば、ガス遮断膜２０は耐油性隔膜４−１の外気と接触する側にコーティングすればガス遮断膜自体の耐油性は考慮する必要はなく、従来の耐油性隔膜４−１単体よりも高いガス遮断性能が得られる。
【００５３】
なお、ガス遮断膜２０として、ポリ塩化ビニリデンやダイヤモンドライクカーボン被覆した材料は耐油性にも優れているので、耐油性隔膜４−１の両表面のうち、少なくともいずれか一方だけにコーティングすることも可能であるが、両面をコーティングすることによって隔膜のガス遮断性能を更に高めることができる。
【００５４】
さらに、本実施の形態２は、耐油性隔膜４−１とガス遮断膜４−２とをラミネート構造にしたことにより、第１の実施の形態の隔膜に比べて隔膜自体をコンパクトにすることができる。この結果、既存の隔膜式コンサベータに対して構造の変更を行わず、耐油性隔膜４−１の交換のみでガス遮断性能の向上を図ることができ、しかも経済的である。
【００５５】
以上述べた第１および第２の実施の形態では、袋状に形成した隔膜４の使用例を説明したが、隔膜４の形状を袋状に限定することは必須ではなく、平面状に形成されたものでもよいことは勿論である。
【図面の簡単な説明】
【００５６】
【図１】本発明の第１の実施の形態に係る隔膜式コンサベータの概念図。
【図２】図１のガス遮断膜の一部を示す断面図。
【図３】本発明の第２の実施の形態に係る隔膜式コンサベータの隔膜の断面図。
【図４】従来の隔膜式コンサベータの概念図。
【符号の説明】
【００５７】
１…変圧器タンク、２…コンサベータ、３…配管、４，４Ａ…隔膜、５…フランジ、５−１…通気フランジ、５−２…ブリーザ接続配管フランジ、５−２ｈ…測定用小穴、６…ブリーザ接続管、７…ブリーザ、８…通気穴、９…固定ネジ、１０…リング状金具、１１…ガスケット、１２…通しボルト、１５…酸素ガス吸収物、１６、１７…ガス遮断膜、１８…ナイロン布、１９a，１９b…ニトリルゴム、２０，２０ａ，２０ｂ…ガス遮断膜コーティング層。
【図１】
2008227268.tif 000003
【図２】
2008227268.tif 000004
【図３】
2008227268.tif 000005
【図４】
2008227268.tif 000006